(57)【特許請求の範囲】
【請求項１】
第１臨界演算負荷値を有する第１表示演算モジュールと、
前記第１臨界演算負荷値よりも大きい第２臨界演算負荷値を有する第２表示演算モジュールと、
切替えることにより前記第１表示演算モジュールと前記第２表示演算モジュールとのうちの一つと通信可能に連接する切替用スイッチと、
前記切替用スイッチと通信可能に連接し、前記切替用スイッチを介して演算待機映像データを前記第１表示演算モジュールと前記第２表示演算モジュールとのうちの一つに発送する映像データソースと、
前記映像データソースからの前記演算待機映像データを取得して、前記演算待機映像データの演算に必要なオンデマンド演算負荷値を見込む演算負荷検知モジュールと、
を含む表示演算モジュール用検知切替システムにおいて、
前記オンデマンド演算負荷値が前記第１臨界演算負荷値よりも小さいときには、前記演算負荷検知モジュールが第１切替信号を前記切替用スイッチに発送して、前記切替用スイッチが切替えられて前記第１表示演算モジュールと通信可能に連接して、前記映像データソースからの前記演算待機映像データが前記第１表示演算モジュールに伝送して演算され、
前記オンデマンド演算負荷値が前記第１臨界演算負荷値よりも大きいときには、前記演算負荷検知モジュールが第２切替信号を前記切替用スイッチに発送して、前記切替用スイッチが切替えられて前記第２表示演算モジュールと通信可能に連接して、前記映像データソースからの前記演算待機映像データが前記第２表示演算モジュールに伝送して演算され、
前記第１表示演算モジュールは、内部グラフィック表示（Ｉｎｔｅｒｎａｌ  Ｇｒａｐｈｉｃ  Ｄｉｓｐｌａｙ；ＩＧＤ）モジュールであることを特徴とする、
表示演算モジュール用検知切替システム。
【請求項２】
前記第２表示演算モジュールは、ＰＣＩ  Ｅｘｐｒｅｓｓ（登録商標）グラフィック（ＰＣＩ  Ｅｘｐｒｅｓｓ  Ｇｒａｐｈｉｃ；ＰＥＧ）モジュールであることを特徴とする、
請求項１に記載の表示演算モジュール用検知切替システム。
【請求項３】
第１臨界演算負荷値を有する第１表示演算モジュールと、
前記第１臨界演算負荷値よりも大きい第２臨界演算負荷値を有する第２表示演算モジュールと、
切替えることにより前記第１表示演算モジュールと前記第２表示演算モジュールとのうちの一つと通信可能に連接する切替用スイッチと、
前記切替用スイッチと通信可能に連接し、前記切替用スイッチを介して演算待機映像データを前記第１表示演算モジュールと前記第２表示演算モジュールとのうちの一つに発送する映像データソースと、
前記映像データソースからの前記演算待機映像データを取得して、前記演算待機映像データの演算に必要なオンデマンド演算負荷値を見込む演算負荷検知モジュールと、
を含む表示演算モジュール用検知切替システムにおいて、
前記オンデマンド演算負荷値が前記第１臨界演算負荷値よりも小さいときには、前記演算負荷検知モジュールが第１切替信号を前記切替用スイッチに発送して、前記切替用スイッチが切替えられて前記第１表示演算モジュールと通信可能に連接して、前記映像データソースからの前記演算待機映像データが前記第１表示演算モジュールに伝送して演算され、
前記オンデマンド演算負荷値が前記第１臨界演算負荷値よりも大きいときには、前記演算負荷検知モジュールが第２切替信号を前記切替用スイッチに発送して、前記切替用スイッチが切替えられて前記第２表示演算モジュールと通信可能に連接して、前記映像データソースからの前記演算待機映像データが前記第２表示演算モジュールに伝送して演算され、
前記第２表示演算モジュールは、ＰＣＩ  Ｅｘｐｒｅｓｓ（登録商標）グラフィック（ＰＣＩ  Ｅｘｐｒｅｓｓ  Ｇｒａｐｈｉｃ；ＰＥＧ）モジュールであることを特徴とする、
表示演算モジュール用検知切替システム。
【請求項４】
更に、少なくとも一つの映像出力ポートを含み、前記映像出力ポートは、前記第１表示演算モジュール及び前記第２表示演算モジュールと電気的に連接し、前記第１表示演算モジュールと前記第２表示演算モジュールとのうちの一つからの映像データを取得し、前記映像データは、前記第１表示演算モジュールと前記第２表示演算モジュールとのうちの一つにより前記演算待機映像データを演算して得られるものであることを特徴とする、
請求項１から３の何れか１項に記載の表示演算モジュール用検知切替システム。
【請求項５】
前記演算負荷検知モジュールは、更に、前記第１表示演算モジュール及び前記第２表示演算モジュールと電気的に連接し、前記演算負荷検知モジュールにより前記第１表示演算モジュールの異常を検知したときには、前記切替用スイッチに第２切替信号が伝送されて、前記切替用スイッチが切替えられて前記第２表示演算モジュールと連結するようになり、前記演算負荷検知モジュールにより前記第２表示演算モジュールの異常を検知したときには、前記切替用スイッチに第１切替信号が伝送されて、前記切替用スイッチが切替えられて前記第１表示演算モジュールと連結するようになることを特徴とする、
請求項１から４の何れか１項に記載の表示演算モジュール用検知切替システム。
【発明の詳細な説明】
【技術分野】
【０００１】
本発明は、検知切替システムに関し、特に、表示演算モジュール用検知切替システムに関するものである。
【背景技術】
【０００２】
コンピュータの迅速な発展により、周辺の技術分野も迅速に発展するようになり、例えば描画プログラム及びオンラインゲームを順調に操作できるようにするために、コンピュータに強大な機能を有する表示演算モジュール（例えばグラフィックカード）を組付けることが必要である。
【０００３】
しかし、コンピュータに別に組付けられるグラフィックカードは、マザーボードにビルトインされるグラフィックカードに比べて、演算能力がより強いが、演算時に消費する電力がより多い。なお、コンピュータの一般のユーザは、描画プログラム及びオンラインゲームを実行する時間よりも、ホームページをブラウズし、或いは文書を処理する時間が多いため、グラフィックカードが別に組付けられるコンピュータは、当該グラフィックカードが引き続き稼動し、電力の消費がより多いという問題があった。
【発明の概要】
【発明が解決しようとする課題】
【０００４】
本発明の主な目的は、映像データソースからの映像データの演算に必要なオンデマンド演算負荷値を検知して、適切な表示演算モジュールに切替えて表示の演算を実行する表示演算モジュール用検知切替システムを提供することにある。  
【課題を解決するための手段】
【０００５】
本発明の表示演算モジュール用検知切替システムによると、第１臨界演算負荷値を有する第１表示演算モジュールと、
前記第１臨界演算負荷値よりも大きい第２臨界演算負荷値を有する第２表示演算モジュールと、
切替えることにより前記第１表示演算モジュールと前記第２表示演算モジュールとのうちの一つと通信可能に連接する切替用スイッチと、
前記切替用スイッチと通信可能に連接し、前記切替用スイッチを介して演算待機映像データを前記第１表示演算モジュールと前記第２表示演算モジュールとのうちの一つに発送する映像データソースと、
前記映像データソースからの前記演算待機映像データを取得して、前記演算待機映像データの演算に必要なオンデマンド演算負荷値を見込める演算負荷検知モジュールと、
を含む表示演算モジュール用検知切替システムにおいて、
オンデマンド演算負荷値が第１臨界演算負荷値よりも小さいときには、演算負荷検知モジュールが第１切替信号を前記切替用スイッチに発送して、前記切替用スイッチが切替えられて前記第１表示演算モジュールと通信可能に連接して、前記映像データソースからの前記演算待機映像データが前記第１表示演算モジュールに伝送して演算され、オンデマンド演算負荷値が第１臨界演算負荷値よりも大きいときには、前記演算負荷検知モジュールが第２切替信号を前記切替用スイッチに発送して、前記切替用スイッチが切替えられて前記第２表示演算モジュールと通信可能に連接して、前記映像データソースからの前記演算待機映像データが前記第２表示演算モジュールに伝送して演算されることを特徴とする。
【０００６】
本発明の表示演算モジュール用検知切替システムによると、前記第１表示演算モジュールは内部グラフィック表示（Ｉｎｔｅｒｎａｌ  Ｇｒａｐｈｉｃ  Ｄｉｓｐｌａｙ；ＩＧＤ）モジュールであることを特徴とする。
【０００７】
本発明の表示演算モジュール用検知切替システムによると、前記第２表示演算モジュールはＰＣＩ  Ｅｘｐｒｅｓｓ（登録商標）グラフィック（ＰＣＩ  Ｅｘｐｒｅｓｓ  Ｇｒａｐｈｉｃ；ＰＥＧ）モジュールであることを特徴とする。
【０００８】
本発明の表示演算モジュール用検知切替システムによると、更に、少なくとも一つの映像出力ポートを含み、前記映像出力ポートは、前記第１表示演算モジュール及び前記第２表示演算モジュールと電気的に連接し、前記第１表示演算モジュールと前記第２表示演算モジュールとのうちの一つからの映像データを取得し、前記映像データは、前記第１表示演算モジュールと前記第２表示演算モジュールとのうちの一つにより前記演算待機映像データを演算して得られるものであることを特徴とする。
【０００９】
本発明の表示演算モジュール用検知切替システムによると、前記演算負荷検知モジュールは、更に、前記第１表示演算モジュール及び前記第２表示演算モジュールと電気的に連接し、前記演算負荷検知モジュールにより前記第１表示演算モジュールの異常を検知したときには、前記切替用スイッチに第２切替信号が伝送されて、前記切替用スイッチが切替えられて前記第２表示演算モジュールと連結するようになり、前記演算負荷検知モジュールにより前記第２表示演算モジュールの異常を検知したときには、前記切替用スイッチに第１切替信号が伝送されて、前記切替用スイッチが切替えられて前記第１表示演算モジュールと連結するようになることを特徴とする。
【発明の効果】
【００１０】
本発明の表示演算モジュール用検知切替システムによれば、次のような効果がある。
（１）演算負荷検知モジュールにより映像データソースからの演算待機映像データの演算に必要なオンデマンド演算負荷値を見込むことができ、どちらの表示演算モジュールによって演算待機映像データを演算することが適切であるかを判断して、適切な表示演算モジュールによって演算待機映像データを演算する。そうすると、節電することができる。
（２）演算負荷検知モジュールは第１表示演算モジュール及び第２表示演算モジュールの異常の有無を検知でき、ある表示演算モジュールが異常になったときには、表示演算が正常に稼動できる表示演算モジュールによって実行するため、コンピュータは何時も画面を正常に表示することができる。
【図面の簡単な説明】
【００１１】
【図１】オンデマンド演算負荷値が第１臨界演算負荷値よりも小さいときの検知切替システムの状態図である。
【図２】オンデマンド演算負荷値が第１臨界演算負荷値よりも大きいときの検知切替システムの状態図である。
【発明を実施するための形態】
【００１２】
以下、本発明の実施の形態を図面に基づいて説明する。
まず、図１及び図２を参照する。図１はオンデマンド演算負荷値が第１臨界演算負荷値よりも小さいときの検知切替システムの状態図であり、図２はオンデマンド演算負荷値が第１臨界演算負荷値よりも大きいときの検知切替システムの状態図である。本発明の表示演算モジュール用検知切替システムは、第１表示演算モジュール１１と、第２表示演算モジュール１２と、切替用スイッチ１３と、映像データソース１４と、演算負荷検知モジュール１５と、を含む。
【００１３】
第１表示演算モジュール１１は、第１臨界演算負荷値を有する。第２表示演算モジュール１２は、前記第１臨界演算負荷値よりも大きい第２臨界演算負荷値を有する。しかし、前記第１臨界演算負荷値と前記第２臨界演算負荷値とは、演算に必要な演算量を量化したものであり、必ずしも第１表示演算モジュール１１と第２表示演算モジュール１２との負荷できる最大演算量を代表するものではない。一方、本実施例では、第１表示演算モジュール１１は内部グラフィック表示（Ｉｎｔｅｒｎａｌ  Ｇｒａｐｈｉｃ  Ｄｉｓｐｌａｙ；ＩＧＤ）モジュールであり、第２表示演算モジュール１２はＰＣＩ  Ｅｘｐｒｅｓｓ（登録商標）グラフィック（ＰＣＩ  Ｅｘｐｒｅｓｓ  Ｇｒａｐｈｉｃ；ＰＥＧ）モジュールであることが好ましい。
【００１４】
切替用スイッチ１３は、切替えることにより第１表示演算モジュール１１と第２表示演算モジュール１２とのうちの一つと通信可能に連接するためのものである。映像データソース１４は、切替用スイッチ１３と通信可能に連接し、切替用スイッチ１３を介して演算待機映像データＳ１を第１表示演算モジュール１１と第２表示演算モジュール１２とのうちの一つに発送する。
【００１５】
演算負荷検知モジュール１５は、映像データソース１４から演算待機映像データＳ１を取得して、演算待機映像データＳ１の演算に必要なオンデマンド演算負荷値を見込むためのものである。本実施例では、演算負荷検知モジュール１５は、演算待機映像データＳ１の映像のサイズ、サンプリングの頻度、或いは圧縮のフォーマットなどの映像の条件によって前記オンデマンド演算負荷値を見込める。
【００１６】
前記オンデマンド演算負荷値が前記第１臨界演算負荷値よりも小さいときには、演算負荷検知モジュール１５が第１切替信号Ｃ１を切替用スイッチ１３に発送して、切替用スイッチ１３が切替えられて第１表示演算モジュール１１と通信可能に連接して、映像データソース１４からの演算待機映像データＳ１が第１表示演算モジュール１１に伝送して演算される。前記オンデマンド演算負荷値が前記第１臨界演算負荷値よりも大きいときには、演算負荷検知モジュール１５が第２切替信号Ｃ２を切替用スイッチ１３に発送して、切替用スイッチ１３が切替えられて第２表示演算モジュール１２と通信可能に連接して、映像データソース１４からの演算待機映像データＳ１が第２表示演算モジュール１２に伝送して演算される。
【００１７】
本発明の実施例の表示演算モジュール用検知切替システムは、更に、少なくとも一つの映像出力ポート１６を含む。映像出力ポート１６は、第１表示演算モジュール１１及び第２表示演算モジュール１２と電気的に連接し、第１表示演算モジュール１１と第２表示演算モジュール１２とのうちの一つからの映像データＳ２を取得する。映像データＳ２は、第１表示演算モジュール１１と第２表示演算モジュール１２とのうちの一つにより演算待機映像データＳ２を演算して得られるものである。
【００１８】
本発明の実施例では、演算負荷検知モジュール１５により映像データソース１４からの演算待機映像データＳ１の演算に必要なオンデマンド演算負荷値を見込むことができ、どちらの表示演算モジュールによって演算待機映像データＳ１を演算することが適切であるかを判断して、適切な表示演算モジュールによって演算待機映像データＳ１を演算する。そうすると、節電することができるという効果を有する。
【００１９】
本発明の実施例の演算負荷検知モジュール１５は、更に、第１表示演算モジュール１１及び第２表示演算モジュール１２と電気的に連接する。演算負荷検知モジュール１５により第１表示演算モジュール１１の異常を検知したときには、切替用スイッチ１３に第２切替信号Ｃ２が伝送されて、切替用スイッチ１３が切替えられて第２表示演算モジュール１２と連結するようになる。なお、演算負荷検知モジュール１５により第２表示演算モジュール１２の異常を検知したときには、切替用スイッチ１３に第１切替信号Ｃ１が伝送されて、切替用スイッチ１３が切替えられて第１表示演算モジュール１１と連結するようになる。
【００２０】
これにより、本発明の表示演算モジュール用検知切替システムによれば、節電することができる他、演算負荷検知モジュール１５は第１表示演算モジュール１１及び第２表示演算モジュール１２の異常の有無を検知でき、ある表示演算モジュールが異常になったときには、表示演算が正常に稼動できる表示演算モジュールによって実行するため、コンピュータは何時も画面を正常に表示することができる。
【００２１】
このように、本発明が、特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００２２】
１１：第１表示演算モジュール
１２：第２表示演算モジュール
１３：切替用スイッチ
１４：映像データソース
１５：演算負荷検知モジュール
１６：映像出力ポート
Ｃ１：第１切替信号
Ｃ２：第２切替信号
Ｓ１：演算待機映像データ
Ｓ２：映像データ
【産業上の利用可能性】
【００２３】
本発明は、表示演算モジュールに適用することができる。
【図１】
0005220834.tif 000002
【図２】
0005220834.tif 000003